(57)【要約】      （修正有）【課題】タッチパネルの一部の領域で故障が生じた場合に、容易に故障した領域の使用を回避することが可能なタッチパネル入力装置を提供する。【解決手段】タッチパネル入力装置１０１は、画像を表示する画面を備えた表示器１と、表示器に重ねて配置されたタッチパネル２と、画像データを記憶するフレームメモリ３と、画像を画面上でＸ方向及びＹ方向の少なくとも一方向に所定の変位量だけ変位させて表示する機能を有する表示制御部４と、変位量を記憶するワークメモリ５と、変位量に基づいてタッチパネルからのタッチパネル信号を補正し、画像上の座標とタッチパネルが検知する座標との対応関係を表示器における画像の変位前後で一定に維持するタッチパネル制御部６と、を有する。表示制御部は、画像を変位させた場合、変位に伴い画面に表示されなくなった画像を、変位させた領域とは反対側の領域に表示する。【選択図】図１
2017102857.tif 000002
【特許請求の範囲】
【請求項１】
画像を表示する画面を備えた表示器と、
前記表示器の画面に重ねて配置されたタッチパネルと、
前記表示器の画面に表示するための画像データを記憶するフレームメモリと、
前記表示器の画面に表示された画像を画面上でＸ方向及びＹ方向の少なくとも一方向に所定の変位量だけ変位させて表示する機能を有する表示制御部と、
前記変位量を記憶するワークメモリと、
前記変位量に基づいて前記タッチパネルからのタッチパネル信号を補正し、画像上の座標とタッチパネルが検知する座標との対応関係を前記表示器における画像の変位前後で一定に維持するタッチパネル制御部と、を有し、
前記表示制御部は、画像を変位させて表示した場合、変位に伴い画面に表示されなくなった画像を、変位させた領域とは反対側の領域に表示する、
ことを特徴とするタッチパネル入力装置。
【請求項２】
前記表示制御部は、前記ワークメモリから前記変位量を読み出して、前記変位量だけ変位させた画像を表示させる、請求項１に記載のタッチパネル入力装置。
【請求項３】
画像の変位量を外部から入力するための入力部をさらに有する、請求項１または２に記載のタッチパネル入力装置。
【発明の詳細な説明】
【技術分野】
【０００１】
本発明は、タッチパネル入力装置に関し、特に、タッチパネルが劣化した場合に表示器の画像を変位させる機能を有するタッチパネル入力装置に関する。
【背景技術】
【０００２】
数値制御（ＮＣ）装置等に用いられるタッチパネルにおいて、何らかの原因でタッチパネルが劣化し、タッチパネルを押下しても反応が鈍くなる場合がある。更に深刻化するとタッチパネルを押下しても反応しない領域が現れる場合がある。押下しても反応しない領域に重要なボタン等があると、タッチパネルを交換する必要が生じる。
【０００３】
タッチパネルの交換を要求してから、実際に交換作業が行われるまでには長時間を要するのが一般的である。しかしながら、交換作業が行われるまでの間、重要なボタンを押下できるようにして作業を継続できるようにすることが望ましい。
【０００４】
そこで、タッチパネルに異常が生じた場合に、表示領域のサイズを変更して表示する方法が知られている（例えば、特許文献１）。特許文献１には、表示、入力機能が一部領域で故障した場合、タッチキー画像を縮小表示することにより、正常時のタッチキー画像のレイアウトを変更することなく、正常時と同じタッチキー画像のレイアウト関係を維持したまま、タッチキーの表示を可能にするタッチパネル入力装置が開示されている。しかしながら、表示領域を縮小しているため、縮小した画像サイズに応じたアイコン等の画像を予め作成しておく必要があり、ソフトウェア作成のための工数が余計に発生するという問題があった。
【先行技術文献】
【特許文献】
【０００５】
【特許文献１】特開２０１３−２２８９７２号公報
【発明の概要】
【発明が解決しようとする課題】
【０００６】
本発明は、画像上で操作対象のボタンが表示された領域がタッチパネルの一部の故障した領域に含まれた場合に、容易に、操作対象のボタンの位置を故障した領域の外の位置に変位させて操作対象のボタンを使用可能とすることが可能なタッチパネル入力装置を提供することを目的とする。
【課題を解決するための手段】
【０００７】
本発明の一実施例に係るタッチパネル入力装置は、画像を表示する画面を備えた表示器と、表示器の画面に重ねて配置されたタッチパネルと、表示器の画面に表示するための画像データを記憶するフレームメモリと、表示器の画面に表示された画像を画面上でＸ方向及びＹ方向の少なくとも一方向に所定の変位量だけ変位させて表示する機能を有する表示制御部と、変位量を記憶するワークメモリと、変位量に基づいてタッチパネルからのタッチパネル信号を補正し、画像上の座標とタッチパネルが検知する座標との対応関係を表示器における画像の変位前後で一定に維持するタッチパネル制御部と、を有し、表示制御部は、画像を変位させて表示した場合、変位に伴い画面に表示されなくなった画像を、変位させた領域とは反対側の領域に表示することを特徴とする。
【発明の効果】
【０００８】
本発明の一実施例に係るタッチパネル入力装置によれば、画像上で操作対象のボタンが表示された領域がタッチパネルの一部の故障した領域に含まれた場合に、容易に、操作対象のボタンの位置を故障した領域の外の位置に変位させて操作対象のボタンを使用可能とすることができる。
【図面の簡単な説明】
【０００９】
【図１】本発明の実施例１に係るタッチパネル入力装置の構成図である。
【図２】表示器の画像のレイアウトの一例を示す図である。
【図３】本発明の実施例１に係るタッチパネル入力装置により、画像を−Ｘ方向に変位させた場合の表示器の画像のレイアウトを示す図である。
【図４】本発明の実施例１に係るタッチパネル入力装置により、画像をＹ方向に変位させた場合の表示器の画像のレイアウトを示す図である。
【図５】本発明の実施例１に係るタッチパネル入力装置により、画像を−Ｘ方向及びＹ方向に変位させた場合の表示器の画像のレイアウトを示す図である。
【図６】Ｘ方向に配置された２つの主要な表示領域を有する場合の表示器の画像のレイアウトを示す図である。
【図７】本発明の実施例１に係るタッチパネル入力装置により、２つの表示領域の一方を−Ｘ方向に変位させた場合の表示器の画像のレイアウトを示す図である。
【図８】Ｙ方向に配置された２つの主要な表示領域を有する場合の表示器の画像のレイアウトを示す図である。
【図９】本発明の実施例１に係るタッチパネル入力装置により、２つの表示領域の一方をＹ方向に変位させた場合の表示器の画像のレイアウトを示す図である。
【図１０】４つの主要な表示領域を有する場合の表示器の画像のレイアウトを示す図である。
【図１１】本発明の実施例１に係るタッチパネル入力装置により、４つの表示領域の一部を−Ｘ方向及びＹ方向に変位させた場合の表示器の画像のレイアウトを示す図である。
【図１２】本発明の実施例１に係るタッチパネル入力装置の動作手順を説明するためのフローチャートである。
【図１３】本発明の実施例２に係るタッチパネル入力装置の構成図である。
【発明を実施するための形態】
【００１０】
以下、図面を参照して、本発明に係るタッチパネル入力装置について説明する。
【００１１】
［実施例１］
まず、本発明の実施例１に係るタッチパネル入力装置について説明する。図１に本発明の実施例１に係るタッチパネル入力装置１０１の構成図を示す。本発明の実施例１に係るタッチパネル入力装置１０１は、表示器１と、タッチパネル２と、フレームメモリ３と、表示制御部４と、ワークメモリ５と、タッチパネル制御部６と、を有する。
【００１２】
表示器１は、画像を表示する画面を備えている。表示器１として、液晶表示装置または有機ＥＬ表示装置を用いることができるが、このような例には限られない。図２に表示器の画像のレイアウトの一例を示す。例えば、画面１１上に主要な表示領域１２を表示させ、その近傍に所定の動作を実行させるためのボタン１３を表示することができる。主要な表示領域１２には、例えば、ＮＣ装置を操作するためのＧＵＩ（グラフィカルユーザインタフェース）を表示するようにしてもよい。また、図２に示した例では、主要な表示領域１２から画像の左端までのマージン１４の距離をＸｓとし、主要な表示領域１２から画像の下端までのマージン１５の距離をＹｓとしている。
【００１３】
タッチパネル２は、表示器１の画面１１に重ねて配置される。タッチパネル２には、例えば、抵抗膜方式のタッチパネルを用いることができる。ただし、このような例には限られず、他の方式のタッチパネルを用いてもよい。タッチパネル２は、表示器１の上に重ねて配置され、表示器１の画面１１に所望の画像を表示することにより、ユーザはタッチパネル２を通して画面１１に表示された画像を見ることができる。タッチパネル２は、所定の箇所、例えば、ボタン１３が表示された領域に触れることで入力を受け付けることができる。タッチパネル２が故障した場合は、例えば、タッチパネル２の故障した領域１６において、表示されたボタン１３に触れても接触を検知できなくなる。
【００１４】
フレームメモリ３は、表示器１の画面１１に表示するための画像データ（描画情報）を記憶する。
【００１５】
表示制御部４は、フレームメモリ３に格納された画像データを読み出して表示器１に出力し、所定の画像を表示する。また、表示制御部４は、表示器１の画面１１に表示された画像を画面上でＸ方向及びＹ方向の少なくとも一方向に所定の変位量だけ変位させて表示する機能を有する。表示制御部４は、ワークメモリ５から変位量を読み出して、変位量だけ変位させた画像を表示させるようにしてもよい。このようにすることで、ボタン１３を押下したい場合のみ、画像を変位させ、ボタン１３を押下した後は元の画像に戻すようにすることができる。
【００１６】
ワークメモリ５は、上記の変位量を記憶する。変位量は、ワークメモリ５に予め記憶させておいてもよいし、外部から入力するようにしてもよい。ワークメモリ５に記憶された変位量は、フレームメモリ３にＤＭＡ転送される。ＤＭＡ転送とは、入出力時の主記憶装置へのアクセス方式の一つであり、ワークメモリ５とフレームメモリ３との間で、ＣＰＵ７を介さずに直接的にデータを転送することをいう。ＤＭＡ転送は、ＣＰＵを介さずにデータ転送を行うため、高速にデータを転送することができる。
【００１７】
タッチパネル制御部６は、ユーザが操作したタッチパネル２の操作位置をタッチパネル信号としてバス８を介してＣＰＵ７に通知する。即ち、ユーザがタッチパネル２に触れた際に、接触した位置の座標がタッチパネル制御部６に取り込まれ、接触した位置の座標に表示されているボタンに応じた操作が実行される。例えば、ボタン１３の表示個所にユーザが触れた場合は、ボタン１３に対応した操作が実行される。さらに、タッチパネル制御部６は、変位量に基づいてタッチパネル２からのタッチパネル信号を補正し、画像上の座標とタッチパネル２が検知する座標との対応関係を表示器１における画像の変位前後で一定に維持する。
【００１８】
本発明の実施例１に係るタッチパネル入力装置１０１は、表示制御部４が、画像を変位させて表示した場合、変位に伴い画面１１に表示されなくなった画像を、変位させた領域とは反対側の領域に表示する点を特徴としている。図３に、本発明の実施例１に係るタッチパネル入力装置１０１により、画像を−Ｘ方向に変位させた場合の表示器の画像のレイアウトを示す。例えば、画面１１に表示された画像を図３中の矢印で示したマイナスＸ（−Ｘ）方向に変位量ΔＸだけ変位させる場合を例にとって説明する。この場合、ボタン１３の表示位置がタッチパネル２の故障した領域１６の外の位置となるようにすれば、ボタン１３に触れることによりタッチパネル２は接触を検知できるようになる。なお、変位量ΔＸは図２に示したＸ方向のマージンＸｓ以下であることが好ましい。
【００１９】
ここで、画像を変異させる前の元の画像は図３の１７に示した範囲に渡っているため、ハッチングした領域１８の画像が変位に伴い画面１１に表示されなくなる。そこで、本発明においては、この領域１８の画像を変位させた領域とは反対側の領域１９に表示するようにしている。このようにすることで、画像の縮小やレイアウトの大幅な変更を行うことなく、単に画像の位置を−Ｘ方向に変更することにより簡便にタッチパネル２の故障に対処することができる。
【００２０】
上記の例は、表示器１における画像を−Ｘ方向に変位させた場合の例であるが、＋Ｘ方向に変位させてもよい。さらに、このような例には限られず、画像をＹ方向（または−Ｙ方向）に変位させてもよい。図４に本発明の実施例１に係るタッチパネル入力装置により、画像をＹ方向に変位させた場合の表示器の画像のレイアウトを示す。例えば、画面１１に表示された画像を図４中の矢印で示したＹ方向に変位量ΔＹだけ変位させる場合を例にとって説明する。この場合、ボタン１３の表示位置がタッチパネル２の故障した領域１６の外の位置となるようにすれば、ボタン１３に触れることによりタッチパネル２は接触を検知できるようになる。なお、変位量ΔＹは図２に示したＹ方向のマージンＹｓ以下であることが好ましい。
【００２１】
ここで、上述のように、画面１１の上部に表示されていた画像の一部が変位に伴い画面に表示されなくなる。そこで、本発明においては、この領域の画像を変位させた領域とは反対側の領域１９１に表示するようにしている。このようにすることで、画像の縮小やレイアウトの大幅な変更を行うことなく、単に画像の位置をＹ方向に変更することにより簡便にタッチパネル２の故障に対処することができる。
【００２２】
上記の例は、表示器１における画像を−Ｘ方向またはＹ方向に変位させた場合の例であるが、このような例には限られず、−Ｘ方向及びＹ方向の両方向に変位させてもよい。図５に本発明の実施例１に係るタッチパネル入力装置により、画像を−Ｘ方向及びＹ方向に変位させた場合の表示器の画像のレイアウトを示す。例えば、画面１１に表示された画像を図５中の矢印で示したようにＸ方向に変位量−ΔＸ、Ｙ方向に変位量ΔＹだけ変位させる場合を例にとって説明する。この場合、ボタン１３の表示位置がタッチパネル２の故障した領域１６の外の位置となるようにすれば、ボタン１３に触れることによりタッチパネル２は接触を検知できるようになる。なお、変位量ΔＸは図２に示したＸ方向のマージンＸｓ以下であることが好ましく、変位量ΔＹは図２に示したＹ方向のマージンＹｓ以下であることが好ましい。
【００２３】
ここで、上述のように、画面１１の左側及び上部に表示されていた画像の一部が変位に伴い画面に表示されなくなる。そこで、本発明においては、−Ｘ方向に変位させた結果、表示されなくなった画像を変位させた領域とは反対側の領域１９２に表示させるとともに、Ｙ方向に変位させた結果、表示されなくなった画像を変位させた領域とは反対側の領域１９３に表示するようにしている。なお、２つの領域１９２と１９３が交差する領域１９４には、元の画像の左上の領域の画像が表示される。このようにすることで、画像の縮小やレイアウトの大幅な変更を行うことなく、単に画像の位置を−Ｘ方向及びＹ方向に変更することにより簡便にタッチパネル２の故障に対処することができる。
【００２４】
以上の例では画面１１に主要な表示領域１２が１つのみ表示される例を示したが、このような例には限られず、主要な表示領域は複数あってもよい。図６に、Ｘ方向に配置された２つの主要な表示領域を有する場合の表示器の画像のレイアウトを示す。ここで、図６において「Ａ」と表示された第１画像２１と、「Ｂ」と表示された第２画像２２がＸ方向に並べて配置されているものとする。このとき、図６中の矢印で示すように−Ｘ方向に画像を変位させて第１画像２１が完全に表示されなくなるようにし、第１画像２１を、画像を変位させた側と反対の領域に表示するようにする。
【００２５】
図７に、上記のようにして本発明の実施例１に係るタッチパネル入力装置により、２つの表示領域の一方を−Ｘ方向に変位させた場合の表示器の画像のレイアウトを示す。この場合、ボタン１３の表示位置がタッチパネル２の故障した領域１６の外の位置となるようにすれば、ボタン１３に触れることによりタッチパネル２は接触を検知できるようになる。図７に示した例では、境界２３を挟んで第１画像２１と第２画像２２の位置が入れ替わるだけで、それぞれの画像はそのまま画面１１に表示されるため、画像の一部が分離するような事態を回避することができる。
【００２６】
上記の例は、２つの表示領域の一方を−Ｘ方向に変位させた場合の例であるが、＋Ｘ方向に変位させてもよい。さらに、このような例には限られず、Ｙ方向（または−Ｙ方向）に変位させてもよい。図８に、Ｙ方向に配置された２つの主要な表示領域を有する場合の表示器の画像のレイアウトを示す。ここで、図８において「Ｃ」と表示された第３画像２４と、「Ｄ」と表示された第４画像２５がＹ方向に並べて配置されているものとする。このとき、図８中の矢印で示すようにＹ方向に画像を変位させて第３画像２４が完全に表示されなくなるようにし、第３画像２４を、画像を変位させた側と反対の領域に表示するようにする。
【００２７】
図９に、上記のようにして本発明の実施例１に係るタッチパネル入力装置により、２つの表示領域の一方をＹ方向に変位させた場合の表示器の画像のレイアウトを示す。この場合、ボタン１３の表示位置がタッチパネル２の故障した領域１６の外の位置となるようにすれば、ボタン１３に触れることによりタッチパネル２は接触を検知できるようになる。図９に示した例では、境界２６を挟んで第３画像２４と第４画像２５の位置が入れ替わるだけで、それぞれの画像はそのまま画面１１に表示されるため、画像の一部が分離するような事態を回避することができる。
【００２８】
上記の例においては、画面１１に２つの主要な画像が表示される例を示したが、このような例には限られない。図１０に４つの主要な表示領域を有する場合の表示器の画像のレイアウトを示す。ここで、図１０において、「Ｅ」と表示された第５画像３１、「Ｆ」と表示された第６画像３２、「Ｇ」と表示された第７画像３３、及び「Ｈ」と表示された第８画像３４が画面１１の中央付近に配置されているものとする。このとき、まず、−Ｘ方向に画像を変位させて、第５画像３１及び第７画像３３が完全に表示されなくなるようにし、第５画像３１及び第７画像３３を変位させた側と反対の領域に表示する。さらに、Ｙ方向に画像を変位させて、第６画像３２及び第５画像３１が完全に表示されなくなるようにし、第６画像３２及び第５画像３１を変位させた側と反対の領域に表示する。
【００２９】
図１１に上記のようにして本発明の実施例１に係るタッチパネル入力装置により、４つの表示領域の一部を−Ｘ方向及びＹ方向に変位させた場合の表示器の画像のレイアウトを示す。この場合、ボタン１３の表示位置がタッチパネル２の故障した領域１６の外の位置となるようにすれば、ボタン１３に触れることによりタッチパネル２は接触を検知できるようになる。図１１に示した例では、境界３５及び３６を挟んで、第５〜第８画像３１〜３４の位置が変更されるだけで、それぞれの画像はそのまま画面１１に表示されるため、画像の一部が分離するような事態を回避することができる。
【００３０】
以上の説明においては画面上に２つまたは４つの画像が表示される例を示したが、このような例には限られず、画面上に３つまたは５つ以上の画像が表示される場合であっても同様に本発明を適用することができる。
【００３１】
次に、本発明の実施例１に係るタッチパネル入力装置の動作手順について、図１２に示したフローチャートを用いて説明する。まず、ステップＳ１０１において、タッチパネル２上に故障領域が発生しているか否かを判断する。故障領域が発生していない場合は、元に戻って故障領域が発生しているか否かの判断を継続して行う。
【００３２】
タッチパネル２上に故障領域が発生している場合は、ステップＳ１０２において、表示器１の画像を所定の変位量だけ変位させる。ここで、所定の変位量とは、画像における操作対象のボタンが表示された領域がタッチパネル２上の故障領域と重ならないようにする距離である。
【００３３】
次に、ステップＳ１０３において、変位量に基づいてタッチパネル信号を補正する。即ち、画像上の座標とタッチパネルが検知する座標との対応関係を表示器１における画像の変位前後で一定に維持する。例えば、画像をＸ方向にΔＸ、Ｙ方向にΔＹだけ変位させた場合は、これらの変位量に応じて、タッチパネル信号を補正して、画像の変位後に表示されるボタンに触れた場合に、変位前と同様に接触を検知できるようにする。
【００３４】
次に、ステップＳ１０４において、変位により表示されなくなった画像を変位させた領域と反対側の領域に表示する。変位量の大きさは、主要な画像領域の周辺のマージンを考慮して決定することが好ましい。また、複数の画像が表示される場合は、各画像の領域の大きさを考慮して、各画像単位で変位させることが好ましい。
【００３５】
以上のように、本発明の実施例１に係るタッチパネル入力装置によれば、画像を変位させることにより簡便にタッチパネルの故障領域を回避して、操作対象のボタンの位置を変位させて使用可能とすることができる。
【００３６】
［実施例２］
次に、本発明の実施例２に係るタッチパネル入力装置について説明する。図１３に本発明の実施例２に係るタッチパネル入力装置１０２の構成を示す。本発明の実施例２に係るタッチパネル入力装置１０２が、実施例１に係るタッチパネル入力装置１０１と異なっている点は、画像の変位量を外部から入力するための入力部９をさらに有する点である。実施例２に係るタッチパネル入力装置１０２のその他の構成は、実施例１に係るタッチパネル入力装置１０１における構成と同様であるので詳細な説明は省略する。
【００３７】
画像の変位量を外部から入力する方法として、例えば、画像を画面上でＸ方向、Ｙ方向に変位させる量を決定するパラメータ等を予め用意しておき、そのパラメータに従ってＸ方向及びＹ方向の変位量に応じた値をＭＤＩ（Ｍａｎｕａｌ Ｄａｔａ Ｉｎｐｕｔ）ユニット等の入力部９から入力することができる。
【００３８】
入力部９を用いてパラメータを入力することにより、表示器１の画面１１上の画像を容易に変位させることができる。ユーザは変位した画像を確認した後、さらに変位させたい場合は、パラメータを変更することによって、変位量を微調整することができる。
【００３９】
さらに、タッチパネル２が接触を検知できる領域で、画面を長押しすること等により画像を自在に移動可能なモードに遷移するようにしてもよい。このようにすることで、ユーザはスマートフォンのように自在に画像を画面上でＸ方向またはＹ方向にスライドさせ、所望の画像を決定することができる。さらに、変更したい画面にセットした後は、再度タッチパネルを長押しして、画像を固定させるようにしてもよい。
【００４０】
以上説明したように、本発明の実施例２に係るタッチパネル入力装置によれば、タッチパネルの故障領域を回避するための操作対象のボタンの位置の変位量を容易に決定することができ、所望の画像を容易に設定することができる。
【符号の説明】
【００４１】
１    表示器
２    タッチパネル
３    フレームメモリ
４    表示制御部
５    ワークメモリ
６    タッチパネル制御部
７    ＣＰＵ
８    バス
９    入力部
【図１】
2017102857.tif 000003
【図２】
2017102857.tif 000004
【図３】
2017102857.tif 000005
【図４】
2017102857.tif 000006
【図５】
2017102857.tif 000007
【図６】
2017102857.tif 000008
【図７】
2017102857.tif 000009
【図８】
2017102857.tif 000010
【図９】
2017102857.tif 000011
【図１０】
2017102857.tif 000012
【図１１】
2017102857.tif 000013
【図１２】
2017102857.tif 000014
【図１３】
2017102857.tif 000015